(57)【要約】【課題】  簡便な構成によって回転チョッパのバランスをとることができ、これにより遮光の精度を向上させることができ、回転チョッパ及び周辺部材を損傷させるおそれの少ない電子内視鏡、電子内視鏡用光源装置及びこれに用いる回転チョッパを提供する。【解決手段】  光源、及び、光源から入射した照明光をライトガイドへ向けて出射する複数の開口部と、光源から入射した照明光を遮光する複数の遮光部と、を備えた回転板を少なくとも１枚以上同心状に配置し、回転軸が光源の光軸と平行に配置された回転チョッパを備え、複数の開口部は、それぞれ回転板の回転軸を中心として所定の中心角を備える円弧形状に切り欠いてなり、回転軸に関して等角度間隔に配置される。【選択図】  図３
2005287887.tif 000002
【特許請求の範囲】
【請求項１】
光源；及び、
前記光源から入射した照明光をライトガイドへ向けて出射する複数の開口部と、前記光源から入射した照明光を遮光する複数の遮光部と、を備えた回転板を少なくとも１枚以上同心状に配置してなり、回転軸が前記光源の光軸と平行に配置された回転チョッパ；を備え、
前記複数の開口部は、それぞれ前記回転板の回転軸を中心として所定の中心角を備える円弧形状に切り欠いてなり、前記回転軸に関して等角度間隔に配置されていることを特徴とする電子内視鏡用光源装置。
【請求項２】
光源；及び、
前記光源から入射した照明光をライトガイドへ向けて出射する開口部と、前記光源から入射した照明光を遮光する遮光部と、を備え、前記開口部には、前記遮光部とほぼ同じ比重であって光透過性の材料が嵌め込まれた回転板を有し、回転軸が前記光源の光軸と平行に配置された回転チョッパ；を備えることを特徴とする電子内視鏡用光源装置。
【請求項３】
光源から入射した照明光をライトガイドへ向けて出射する複数の開口部と、前記光源から入射した照明光を遮光する複数の遮光部と、を備えた回転板を少なくとも１枚以上同心状に配置してなり、回転軸が前記光源の光軸と平行に配置された回転チョッパであって、前記複数の開口部は、それぞれ前記回転板の回転軸を中心として所定の中心角を備える円弧形状に切り欠いてなり、前記回転軸に関して等角度間隔に配置されていることを特徴とする回転チョッパ。
【請求項４】
光源から入射した照明光をライトガイドへ向けて出射する開口部と、前記光源から入射した照明光を遮光する遮光部と、を備え、前記開口部には、前記遮光部とほぼ同じ比重であって光透過性の材料が嵌め込まれた回転板を有し、回転軸が前記光源の光軸と平行に配置されることを特徴とする回転チョッパ。
【請求項５】
操作部と、
前記操作部から延び、観察対象内部に挿入される挿入部と、
前記操作部及び前記挿入部に内挿され、その先端が前記挿入部先端まで延びるライトガイドと、
前記ライトガイドに照明光を入射する光源装置と、
を有し、
前記光源装置は、光源と、前記光源から入射した照明光をライトガイドへ向けて出射する複数の開口部と、前記光源から入射した照明光を遮光する複数の遮光部と、を備えた回転板を少なくとも１枚以上同心状に配置してなり、回転軸が前記光源の光軸と平行に配置された回転チョッパと、を有し、前記複数の開口部は、それぞれ前記回転板の回転軸を中心として所定の中心角を備える円弧形状に切り欠いてなり、前記回転軸に関して等角度間隔に配置されていることを特徴とする電子内視鏡。
【請求項６】
操作部と、
前記操作部から延び、観察対象内部に挿入される挿入部と、
前記操作部及び前記挿入部に内挿され、その先端が前記挿入部先端まで延びるライトガイドと、
前記ライトガイドに照明光を入射する光源装置と、
を有し、
前記光源装置は、光源；及び、前記光源から入射した照明光をライトガイドへ向けて出射する開口部と、前記光源から入射した照明光を遮光する遮光部と、を備え、前記開口部には、前記遮光部とほぼ同じ比重であって光透過性の材料が嵌め込まれた回転板を有し、回転軸が前記光源の光軸と平行に配置された回転チョッパ；を備えることを特徴とする電子内視鏡。
【発明の詳細な説明】
【技術分野】
【０００１】
本発明は、電子内視鏡に関し、とくに電子内視鏡用光源装置に用いる回転チョッパに関する。
【背景技術】
【０００２】
従来、照明光を所定期間だけ遮光する光源装置を用いた電子内視鏡として、例えば特許第３３７０８７１号公報に開示されるものがあった。この電子内視鏡では、回転チョッパを駆動するモータを回転及び停止制御して所定の遮光期間を介して照明光を出力する回転モードと、照明光を遮光することなく出射する停止モードを備えている。
【特許文献１】特許第３３７０８７１号公報
【特許文献２】特許第３４０３５９６号公報
【発明の開示】
【発明が解決しようとする課題】
【０００３】
上述の特許第３３７０８７１号公報記載の電子内視鏡では、回転軸に対して非対称な形状を備える回転チョッパを回転させて照明光を所定時間だけ遮光していた。このため、回転中の回転チョッパのバランスが悪く、遮光の精度が低下するとともに、回転チョッパ及び周辺部材を損傷させるおそれがあった。
【課題を解決するための手段】
【０００４】
上記課題を解決するために、本発明の電子内視鏡用光源装置においては、光源；及び、光源から入射した照明光をライトガイドへ向けて出射する複数の開口部と、光源から入射した照明光を遮光する複数の遮光部と、を備えた回転板を少なくとも１枚以上同心状に配置してなり、回転軸が光源の光軸と平行に配置された回転チョッパ；を備え、複数の開口部は、それぞれ回転板の回転軸を中心として所定の中心角を備える円弧形状に切り欠いてなり、回転軸に関して等角度間隔に配置されていることを特徴としている。
【０００５】
また、本発明の電子内視鏡用光源装置においては、光源；及び、光源から入射した照明光をライトガイドへ向けて出射する開口部と、光源から入射した照明光を遮光する遮光部と、を備え、開口部には、遮光部とほぼ同じ比重であって光透過性の材料が嵌め込まれた回転板を有し、回転軸が光源の光軸と平行に配置された回転チョッパ；を備えることを特徴としている。
【０００６】
本発明の回転チョッパは、光源から入射した照明光をライトガイドへ向けて出射する複数の開口部と、光源から入射した照明光を遮光する複数の遮光部と、を備えた回転板を少なくとも１枚以上同心状に配置してなり、回転軸が光源の光軸と平行に配置され、複数の開口部は、それぞれ回転板の回転軸を中心として所定の中心角を備える円弧形状に切り欠いてなり、回転軸に関して等角度間隔に配置されていることを特徴としている。
【０００７】
本発明の回転チョッパは、光源から入射した照明光をライトガイドへ向けて出射する開口部と、光源から入射した照明光を遮光する遮光部と、を備え、開口部には、遮光部とほぼ同じ比重であって光透過性の材料が嵌め込まれた回転板を有し、回転軸が光源の光軸と平行に配置されることを特徴としている。
【０００８】
本発明の電子内視鏡は、操作部と、操作部から延び、観察対象内部に挿入される挿入部と、操作部及び挿入部に内挿され、その先端が挿入部先端まで延びるライトガイドと、ライトガイドに照明光を入射する光源装置と、を有し、光源装置は、光源と、光源から入射した照明光をライトガイドへ向けて出射する複数の開口部と、光源から入射した照明光を遮光する複数の遮光部と、を備えた回転板を少なくとも１枚以上同心状に配置してなり、回転軸が光源の光軸と平行に配置された回転チョッパと、を有し、複数の開口部は、それぞれ回転板の回転軸を中心として所定の中心角を備える円弧形状に切り欠いてなり、回転軸に関して等角度間隔に配置されていることを特徴としている。
【０００９】
本発明の電子内視鏡においては、操作部と、操作部から延び、観察対象内部に挿入される挿入部と、操作部及び挿入部に内挿され、その先端が挿入部先端まで延びるライトガイドと、ライトガイドに照明光を入射する光源装置と、を有し、光源装置は、光源；及び、光源から入射した照明光をライトガイドへ向けて出射する開口部と、光源から入射した照明光を遮光する遮光部と、を備え、開口部には、遮光部とほぼ同じ比重であって光透過性の材料が嵌め込まれた回転板を有し、回転軸が光源の光軸と平行に配置された回転チョッパ；を備えることを特徴としている。
【発明の効果】
【００１０】
本発明によると、簡便な構成によって回転チョッパのバランスをとることができ、これにより遮光の精度を向上させることができ、回転チョッパ及び周辺部材を損傷させるおそれの少ない電子内視鏡、電子内視鏡用光源装置及びこれに用いる回転チョッパを提供することができる。
【発明を実施するための最良の形態】
【００１１】
以下、本発明に係る実施形態を図面を参照しつつ詳しく説明する。
図１に示すように、本実施形態に係る電子内視鏡１は、操作者が把持する操作部１１、この操作部１１から外方に延出する細長で可撓性を有する挿入部１２、挿入部１２先端から外部に照明光を出射するライトガイド２０、接続連結管１３を介して操作部１１に連結された光源装置３０を有する。ライトガイド２０は挿入部１２、操作部１１及び接続連結管１３内に挿通されて光源装置３０へ接続されている。光源装置３０内にはランプ（光源）３１が配置されており、この光源装置３０が出射した照明光がライトガイド２０内を通って挿入部１２先端から外部へ出射される。照明光による観察部位からの反射光は、挿入部１２先端に配置された対物光学系１５から挿入部１２内に入射してＣＣＤ（固体撮像素子）１６（図２参照）に電荷として蓄積される。ここで、対物光学系１５とＣＣＤ１６とで撮像手段を構成し、ＣＣＤ１６は１フレームを奇数フィールドと偶数フィールドの二つに分けて扱うインターレース駆動の撮像素子である。このＣＣＤ１６の全画素データは、奇数フィールドと偶数フィールドに分けてレジスタ（画像データ蓄積手段）１７に転送されて、これに接続された画像処理装置１８で１フレームに展開され、表示装置１９に映し出される（図２）。
【００１２】
光源装置３０は、ランプ３１のほか、ランプ３１の光軸３１ａと平行な回転軸４０ａを備え、ランプ３１から出射した照明光の遮光が可能な回転チョッパ（回転板）４０と、ランプ３１から出射した光を集光してライトガイド２０内へ入射する集光レンズ３４と、回転チョッパ４０を回転させるモータ３３と、を有する。モータ３３の回転軸３３ａは、回転軸４０ａと一致するように、回転チョッパ４０の中心孔部４１内に挿入固定されている。回転軸４０ａと光軸３１ａは所定の軸間距離Ｘ（図１）をおいて配置されている。
【００１３】
図３（ａ）に示す回転チョッパ４０は、成形により形成されるアルミニウム製の半径Ｒ４０の円板のうち、その回転軸４０ａに関して１８０度間隔に、又は回転軸４０ａに関して対称に、切り欠いてなる二つの開口部４２ａ、４２ｂと、この円板の残りの円弧部分からなる遮光部４３ａ、４３ｂと、を備える。開口部４２ａ及び開口部４２ｂは、回転軸４０ａを中心とする中心角（開口角）θが同一の円弧形状に開口している。図３（ａ）に示す例では中心角を６０度としているが、開口部４２ａ及び開口部４２ｂの中心角が同一であって回転軸４０ａに関して対称であれば、任意の角度とすることができる。半径Ｒ４０は、光軸３１ａと回転軸４０ａとが所定の軸間距離Ｘをおいて配置されているときに、少なくとも、ランプ３１から回転チョッパ４０に入射する光束の半径に軸間距離Ｘを加えた値となっていることが好ましい。また、回転チョッパ４０は、樹脂の成形により形成することもできる。
【００１４】
図３（ｂ）に示す従来の回転チョッパ１４０では開口部１４２が一つのみであるため、回転中の回転チョッパ１４０のバランスが悪く、回転チョッパ１４０及びその周辺部材を損傷させるおそれがある。これに対して、回転チョッパ４０では、開口部１４２の中心角θ’の半分の中心角θ（θ＝θ’／２）をそれぞれ備える開口部４２ａ及び開口部４２ｂを設けたことにより、回転中の回転チョッパ４０のバランスがよくなり、遮光の精度が高くなり、回転チョッパ４０及びその周辺に配置されるモータ３３、集光レンズ３４その他の周辺部材が損傷するおそれが少なくなる。さらに、回転チョッパ４０が１周する間に開口部４２ａ及び開口部４２ｂの２箇所から照明光が出射するため、従来と同じ周期で照明光を出射するためには、回転チョッパ４０は従来の回転チョッパ１４０の半分の速度で回転させれば足りる。
【００１５】
以上の構成の回転チョッパ４０は、中心孔部４１内に回転軸３３ａを挿通し互いに接着固定して使用される。回転チョッパ４０は、遮光部４３ａ及び遮光部４３ｂに入射した光を遮光することができ、開口部４２ａ及び開口部４２ｂに入射した光は通過させることができる。
【００１６】
次に、図４を参照しつつ、観察部位の実際の撮影表示動作について説明する。観察に先立って、挿入部１２を観察対象たる患者体内へ挿入し、その先端を観察部位へ向ける。この状態でスタートボタン（不図示）を押すと、ランプ３１から照明光が出射され、ライトガイド２０を介して観察部位が照明され、観察部位の様子が表示装置に映し出される。このとき、輝度センサ２１により観察部位の輝度が検知されており、検知結果に応じてコントローラ３５の制御によりランプ３１からの出射光量が調整される。
【００１７】
図４（ａ）〜（ｄ）は、観察部位の輝度が一定である場合の観察部位への照射光量、ＣＣＤ１６への蓄積電荷量、レジスタ１７への転送電荷量、及び映像出力のタイミングをそれぞれ示しているが、観察部位の輝度が一定でない場合においてもタイミングに違いはない。
【００１８】
本実施形態では、回転チョッパ４０は１／１５秒で１回転し、１回転のうち１／９０秒間ずつ開口部４２ａ及び開口部４２ｂから照明光が出射され（発光期間）、各発光期間に続く１／４５秒間ずつ遮光部４３ａ及び遮光部４３ｂによってランプ３１からの照明光は遮光される（遮光期間）（図４（ａ））。発光と遮光は１／３０秒ごとに繰り返される。発光による観察部位からの反射光は、発光タイミングに合わせて、１／６０秒ごとに奇数フィールド（本実施形態ではシアン、イエローのデータに対応）及び偶数フィールド（マゼンタ、グリーンのデータに対応）に分けて、かつ両フレームを連続してＣＣＤ１６に電荷として蓄積される（図４（ｂ））。このように奇数フィールド及び偶数フィールドを連続して蓄積するため後にフレームに合成したときに画像にブレが生じるおそれが少なくなる。
【００１９】
開口部４２ａ、４２ｂからの発光に続く遮光部４３ａ、４３ｂによる１／４５秒間の遮光期間では、奇数フィールドの画素データがＣＣＤ１６からレジスタ１７に転送される（図４（ｃ））。このデータ転送は、ランプ３１からの照明光が遮光されたことが輝度センサ２１により検知され、これに基づいてコントローラ３５からレジスタ１７へ転送開始を指示する信号が出力されることにより開始する。
【００２０】
さらに、奇数フィールドのデータ転送が終了すると、偶数フィールドの画素データがＣＣＤ１６からレジスタ１７へ転送される。一方、遮光期間が終了すると再び発光期間が開始される。この発光期間と偶数フィールドのデータ転送は同時に開始するが、発光によるＣＣＤ１６への蓄積は奇数フィールド、偶数フィールドの順で行われ、さらに、偶数フィールドのデータの蓄積及び転送は垂直方向上から下へ順次行われるため、偶数フィールドの画素データの新たな蓄積は、前回の偶数フィールドのデータを転送した後に行われることになる。
【００２１】
以上のような奇数フィールド及び偶数フィールドのデータのＣＣＤ１６への蓄積、レジスタ１７への転送は、開口部４２ａ及び開口部４２ｂからの発光又は遮光部４３ａ及び遮光部４３ｂによる遮光に合わせて、順次繰り返される。１回の発光で得られた奇数フィールド及び偶数フィールドの全画素データのレジスタ１７への転送が終了すると、このデータはただちに画像処理装置１８に読み出されて１フレームに展開され、表示装置１９に表示される（図４（ｄ））。このような画素データの読み出しは遮光期間の開始に合わせて行われ、次の蓄積データの転送によって重ね書きされることはない。また、次の遮光期間開始までの間、同一画像が表示され続け、遮光期間の開始とともに次の画像に更新される。このように全画素データを用いて１フレームを合成するため高画質の画像を表示することができる。
【００２２】
本実施形態の電子内視鏡１では、その使用者が画像処理装置１８に接続されたキャプチャボタン２２（図２参照）を操作すると（図４（ｅ））、遅延なしに、画像処理装置１８は表示装置１９への表示画像信号の出力を停止し、表示装置１９に表示される画像は現在表示されている画像に維持（フリーズ）される（図４（ｆ））。なお、キャプチャボタン２２が操作された後もレジスタ１７のデータは画像処理装置１８に読み出され続けており、再びキャプチャボタン２２が操作されると、画像処理装置１８は表示装置１９への表示画像信号の出力を再開し最新の画像が表示装置１９に表示される。
【００２３】
＜第２実施形態＞
第２実施形態の電子内視鏡１０１においては、図５（ａ）に示す回転チョッパ５０が、図５（ｂ）及び図５（ｃ）に示す円板の一部を切り欠いてなる二枚の回転板５１、５５から構成される点が第１実施形態と異なる。その他の構成は第１実施形態と同様であって、同じ部材については同じ参照符号を使用する。
【００２４】
回転板５１及び回転板５５は、アルミニウムの成形により形成される。これらのうち回転板５１は、半径Ｒ５１の円板のうち、その回転軸５１ａに関して１８０度間隔で、切り欠いてなる二つの開口部５２ａ、５２ｂと、この円板の残りの円弧部分からなる二つの遮光部５３ａ、５３ｂと、を備える。開口部５２ａ及び開口部５２ｂは、回転軸５１ａを中心とする中心角θが同一の円弧形状に開口している。一方、回転板５５は、半径Ｒ５５の円板のうち、その回転軸５５ａに関して１２０度間隔で、切り欠いてなる三つの開口部５６ａ、５６ｂ、５６ｃと、この円板の残りの円弧部分からなる三つの遮光部５７ａ、５７ｂ、５７ｃと、を備える。開口部５６ａ、５６ｂ、５６ｃは、回転軸５５ａを中心とする中心角θが同一の円弧形状に開口している。
【００２５】
回転チョッパ５０は、回転板５１の回転軸５１ａ及び回転板５５の回転軸５５ａを一致させた状態で、開口部５２ａ及び開口部５２ｂのいずれかと、開口部５６ａ、５６ｂ、５６ｃのいずれか一つの位置を合わせた形で使用される。図５（ａ）に示す例では、開口部５２ａと開口部５６ａの位置を合わせている。図６に示すように、回転チョッパ５０は、回転板５１の中心孔部５４内及び回転板５５の中央孔部５８内に回転軸３３ａを挿通し互いに接着固定して使用される。このように構成すると、開口部５２ｂ、開口部５６ｂ及び開口部５６ｃは、光軸３１ａに平行な方向において、それぞれ遮光部５７ｃ、５３ｂ及び５３ａと重なる。このため、開口部５２ｂ、開口部５６ｂ及び開口部５６ｃの位置からは照明光は出射しない。これに対して、互いに重なる開口部５２ａ及び開口部５６ａに入射した光は遮られることなくこれらを通過する。
【００２６】
回転板５１及び回転板５５は、それぞれ回転軸５１ａ及び回転軸５５ａに関して対称な形状となっているため、回転中のバランスがよくなる。これにより、遮光の精度が高くなり、回転チョッパ５０及びその周辺に配置されるモータ３３、集光レンズ３４その他の周辺部材が損傷するおそれが少なくなる。
なお、その他の作用、効果、変形例は第１実施形態と同様である。
【００２７】
＜第３実施形態＞
第３実施形態においては、図７（ａ）に示す回転チョッパ６０が、図７（ｂ）に示す円板の一部に別部材を嵌め込んだ回転板６１、及び図７（ｃ）に示す円板の一部を切り欠いてなる回転板６５から構成される点が第１実施形態と異なる。その他の構成は第１実施形態又は第２実施形態と同様であって、同じ部材については同じ参照符号を使用する。
【００２８】
回転板６１及び回転板６５は、アルミニウムの成形により形成される。これらのうち回転板６１は、半径Ｒ６１の円板のうち、回転軸６１ａを中心とした中心角θの円弧形状の開口部６２にアルミニウム（比重：約２．６８×１０-6ｋｇ／ｍｍ3）とほぼ同じ比重を有する透明なガラス硝材６３（比重：約２．５×１０-6ｋｇ／ｍｍ3）を嵌め込んで接着固定している。ガラス硝材６３は入射光を透過させる開口部として機能する。回転板６１のガラス硝材６３を除いた部分は遮光部６４を構成している。ここで、ガラス硝材６３に代えて、所望の波長をカットするフィルター機能を備えた硝子材料を用いることもできる。一方、回転板６５は、半径Ｒ６５の円板のうち、その回転軸６５ａに関して１８０度間隔で、回転軸６５ａを中心とする中心角θが同一の円弧形状の開口として切り欠いてなる二つの開口部６６ａ、６６ｂと、この円板の残りの部分からなる遮光部６７と、を備える。なお、回転板６１は、アルミニウム以外の材料（例えば樹脂）で形成することができ、この場合は、この材料とほぼ同じ比重を備えた光透過性の材料を開口部６２に嵌め込むことが好ましい。
【００２９】
回転チョッパ６０は、回転軸６１ａと回転軸６５ａを一致させた状態で、ガラス硝材６３と、開口部６６ａ及び開口部６６ｂのいずれか一つの位置を合わせた形で使用される。図７（ａ）に示す例では、ガラス硝材６３と開口部６６ａの位置を合わせている。回転チョッパ６０は、回転板６１の中心孔部６９内及び回転板６５の中央孔部６８内に回転軸３３ａを挿通し互いに接着固定して使用される。このように構成すると、光軸３１ａに平行な方向において開口部６６ｂが遮光部６４と重なるため、開口部６６ｂの位置からは照明光は出射されない。これに対して、互いに重なるガラス硝材６３及び開口部６６ａに入射した光は遮られることなく通過する。
【００３０】
回転板６１は、その一部に開口部６２を設けているものの、この開口部６２には遮光部６４とほぼ同じ比重のガラス硝材６３を嵌め込んであるため、バランスよく回転させることができる。一方の回転板６５は、回転軸６５ａに関して対称な形状となっているため、やはり回転中のバランスがよい。これらの構成により、回転チョッパ６０においては、遮光の精度が高くなり、回転チョッパ６０及びその周辺に配置されるモータ３３、集光レンズ３４その他の周辺部材が損傷するおそれが少なくなる。
なお、その他の作用、効果、変形例は第１実施形態又は第２実施形態と同様である。
【００３１】
本発明について上記実施形態を参照しつつ説明したが、本発明は上記実施形態に限定されるものではなく、改良の目的または本発明の思想の範囲内において改良または変更が可能である。
【図面の簡単な説明】
【００３２】
【図１】本発明の第１実施形態に係る電子内視鏡の内部構成を示す概略図である。
【図２】本発明の第１実施形態に係る電子内視鏡の構成を示すブロック図である。
【図３】（ａ）は本発明の第１実施形態に係る回転チョッパの構成を示す平面図であって、（ｂ）は従来の回転チョッパの構成を示す平面図である。
【図４】本発明の第１実施形態に係る電子内視鏡の動作を示すタイミングチャートである。
【図５】（ａ）及び（ｂ）は本発明の第２実施形態に係る回転板の構成を示す平面図であって、（ｃ）は本発明の第２実施形態に係る回転チョッパの構成を示す平面図である。
【図６】本発明の第２実施形態に係る電子内視鏡の内部構成を示す概略図である。
【図７】（ａ）及び（ｂ）は本発明の第３実施形態に係る回転板の構成を示す平面図であって、（ｃ）は本発明の第３実施形態に係る回転チョッパの構成を示す平面図である。
【符号の説明】
【００３３】
１      電子内視鏡
１５    対物光学系（撮像手段）
１６    ＣＣＤ（撮像手段）
１７    レジスタ（画像データ蓄積手段）
１８    画像処理装置
１９    表示装置
２０    ライトガイド
３０    光源装置
３１    ランプ（光源）
３１ａ  光軸
４０    回転チョッパ（回転板）
４０ａ  回転軸
４２ａ  開口部
４２ｂ  開口部
４３ａ  遮光部
４３ｂ  遮光部
５０    回転チョッパ
５１    回転板
５１ａ  回転軸
５２ａ  開口部
５２ｂ  開口部
５３ａ  遮光部
５３ｂ  遮光部
５５    回転板
５５ａ  回転軸
５６ａ  開口部
５６ｂ  開口部
５６ｃ  開口部
５７ａ  遮光部
５７ｂ  遮光部
５７ｃ  遮光部
６０    回転チョッパ
６１    回転板
６１ａ  回転軸
６２    開口部
６４    遮光部
６５    回転板
６５ａ  回転軸
６６ａ  開口部
６６ｂ  開口部
６７    遮光部
【図１】
2005287887.tif 000003
【図２】
2005287887.tif 000004
【図３】
2005287887.tif 000005
【図４】
2005287887.tif 000006
【図５】
2005287887.tif 000007
【図６】
2005287887.tif 000008
【図７】
2005287887.tif 000009